(57)【要約】【課題】仕切壁で形成され上面に商品出入用の開口部を設けたショーケース本体内の中央に仕切壁を設け、この仕切壁の上部に吸込口を形成し、仕切壁の上部両側に線材で形成された柵状の吸込ガードを設けた平形冷凍冷蔵ショーケースにおいて、吸込ガードに商品表示具を取り付ける場合に、商品表示具が冷気の吸込みを妨げることなく、しかも、商品表示具が見やすい平形冷凍冷蔵ショーケースの商品表示具取付構造を得る。【解決手段】吸込ガード１１の高さをプレート状の商品表示具１９の高さ方向の幅よりも高く形成し、吸込ガード１１の上部分に商品表示具１９を掛止しても吸込口９と商品表示具１９との間に冷気の吸込みが阻害されない空隙が形成される。【選択図】        図１
2004305368.tif 000002
【特許請求の範囲】
【請求項１】
仕切壁で形成され上面に商品出入用の開口部を設けたショーケース本体内の中央に仕切壁を設けて２室の商品収納庫を形成し、前記ショーケース本体と商品収納庫との間、および前記仕切壁の内部に冷気循環ダクトを形成し、ショーケース本体の内側上部に冷気の吹出口を、仕切壁の上部に吸込口を形成し、仕切壁の上部両側に線材で形成された柵状の吸込ガードを設けた平形冷凍冷蔵ショーケースにおいて、前記吸込ガードの高さをプレート状の商品表示具の高さ方向の幅よりも高く形成し、吸込ガードの上部分に商品表示具を掛止しても吸込口と商品表示具との間に冷気の吸込みが阻害されない空隙が形成されることを特徴とする平形冷凍冷蔵ショーケースの商品表示具取付構造。
【請求項２】
前記吸込ガードは、線材により本体を枠状に形成し、この本体の前上部に線材による商品表示具取付用の支持部を前方に突出させて取り付けたことを特徴とする請求項１記載の平形冷凍冷蔵ショーケースの商品表示具取付構造。
【請求項３】
前記商品表示具取付用の支持部の上端は、本体の上端よりも低位置となるように支持部を本体に取り付けることを特徴とする請求項１または請求項２に記載の平形冷凍冷蔵ショーケースの商品表示具取付構造。
【発明の詳細な説明】
【０００１】
【発明の属する技術分野】
この発明は、平形冷凍冷蔵ショーケースの商品表示具取付構造に関するものである。
【０００２】
【従来の技術】
平形冷凍冷蔵オープンショーケースは、例えば図６にも示すように仕切壁で形成され、上面に商品出入用の開口部２を設けたショーケース本体１内の中央に、仕切壁３を設けてショーケース本体１内を２つの商品収納庫４、４に区画し、前記ショーケース本体１と商品収納庫４、４との間、および前記仕切壁３の内部に冷気循環ダクト５を形成し、仕切壁３の上部に冷気の吸込口９を、ショーケース本体１の内側上部に吹出口８を形成してある。
【０００３】
また、前記冷気循環ダクト５内には吸込口９の直下に位置させて送風機７を、各商品収納庫４、４の下方位置に冷却器６を配設している。
【０００４】
そして、冷却器６で冷却した空気を冷気循環ダクト５を通して両側上部の吹出口８から吹き出し、この冷気で開口部２に冷気エアカーテンを形成して商品収納庫４、４内の商品を保冷するとともに、外気の侵入を阻止し、熱交換後の冷気を送風機７の働きで中央の吸込口９から吸い込んで冷気として再び吹出口８から吹き出すようにしている。
【０００５】
吸込口９には、図６、図７、図１０にも示すように、冷気の吸込みが妨げられないようにワイヤーなどの線材を略コ字形の枠状に折り曲げて本体、これに脚部を取り付けた吸込ガード１０を設置し、この吸込ガード１０により吸込口９の近くに商品が積まれて吸込口９が塞がらないようにしている。
【０００６】
ところで、この上面開放の平形のショーケースは、マーケットなどの店舗に設置された場合、商品収納庫４、４が２室あり、四方の側のどこからでも商品が取り出せるようになっているが、客にとって向こう側の商品収納庫４内の商品が見えるようにするため、また、冷気の吸込みがスムーズに行なわれ上方の外気を巻き込まないようにするため、中央の仕切壁３の高さを低くして、吸込口９の方を吹出口８よりも低い位置にしてある。
【０００７】
しかしながら、このようにすると陳列が低い位置で平面的となり、どの商品がどの商品収納庫内に陳列されているのかがわかりにくくなる。そこで、商品名や産地、価格などを記載した上部を裏側にＬ字形に折り曲げて係止部１９ａとしたプレート状の商品表示具１９を設置しているが、設置場所として、中央の仕切壁３の両側に設けてある前記吸込ガード１０が線材で形成されていて引っ掛けやすいことから、この吸込ガード１０を利用し、図８から図１０に示すようにこの吸込ガード１０の上横桟の箇所に商品表示具１９を掛止している。
【０００８】
前記先行技術は、当業者間で一般に実施されているものであり、文献公知発明にかかるものではない。
【０００９】
【発明が解決しようとする課題】
商品表示具１９の高さ方向の幅は、吸込ガード１０の高さにほぼ等しいため、吸込ガード１０の前面に商品表示具１９を掛けると、吹出口８から吹出された冷気の吸込口９への吸込みを妨げることになる。その結果、吸込口９の高さが実質的に高くなることになって、外気を巻き込んで冷気が吸込まれることになり、冷却効率の低下を招くことになる。
【００１０】
この発明の目的は前記従来例の不都合を解消し、仕切壁で形成され上面に商品出入用の開口部を設けたショーケース本体内の中央に仕切壁を設け、この仕切壁の上部に吸込口を形成し、仕切壁の上部両側に線材で形成された柵状の吸込ガードを設けた平形冷凍冷蔵ショーケースにおいて、吸込ガードに商品表示具を取り付ける場合に、商品表示具が冷気の吸込みを妨げることなく、しかも、商品表示具が見やすい平形冷凍冷蔵ショーケースの商品表示具取付構造を提供することにある。
【００１１】
【課題を解決するための手段】
この発明は前記目的を達成するため、第１に、仕切壁で形成され上面に商品出入用の開口部を設けたショーケース本体内の中央に仕切壁を設けて２室の商品収納庫を形成し、前記ショーケース本体と商品収納庫との間、および前記仕切壁の内部に冷気循環ダクトを形成し、ショーケース本体の内側上部に冷気の吹出口を、仕切壁の上部に吸込口を形成し、仕切壁の上部両側に線材で形成された柵状の吸込ガードを設けた平形冷凍冷蔵ショーケースにおいて、前記吸込ガードの高さをプレート状の商品表示具の高さ方向の幅よりも高く形成し、吸込ガードの上部分に商品表示具を掛止しても吸込口と商品表示具との間に冷気の吸込みが阻害されない空隙が形成されることを特徴とする。
【００１２】
これにより、ショーケース本体の中央の仕切壁に設けた吸込ガードに商品表示具を取り付けても、商品表示具は吸込口と離間した上方に配置され、吸込口と商品表示具との間には冷気の吸込みが阻害されない空隙が形成されるから、吸込ガードに商品表示具を取り付けても冷却能力が低下することがない。
【００１３】
また、商品表示具の取付位置が高くなるから、客にとって表示されている内容が見やすい。
【００１４】
第２に、前記吸込ガードは、線材により本体を枠状に形成し、この本体の前上部に線材による商品表示具取付用の支持部を前方に突出させて取り付けたことを特徴とする。
【００１５】
これにより、請求項１記載の発明による前記作用に加えて、商品表示具を支持部に取り付ければ、商品表示具は吸込ガードから前方に突出して取り付けられるから、吹出口から吹出された冷気は商品表示具の背面を通って吸込口に吸込まれるから商品表示具が冷気の吸込みを妨げることがない。
【００１６】
また、商品表示具が前方に突出することで、客の目につきやすくなる。
【００１７】
第３に、前記商品表示具取付用の支持部の上端は、本体の上端よりも低位置となるように支持部を本体に取り付けることを特徴とする。
【００１８】
これにより、商品表示具を吸込ガードの本体の上部に掛ければ、商品表示具の下方部分の裏側が支持部にかかり前方に向けて持ち上げられるから、前方に突出するとともに斜め上方向に向き、傾斜状態で係止されることになり、さらに見やすくなる。
【００１９】
【発明の実施の形態】
以下、図面についてこの発明の実施の形態を詳細に説明する。図１はこの発明の実施形態を示す商品表示具取付構造が実施された平形冷凍冷蔵オープンショーケースの縦断側面図、図２はこの発明の実施形態を示す商品表示具取付構造の斜視図で、この発明が実施される平形冷凍冷蔵オープンショーケースの全体構造は図６について既に説明したとおりであるから、同一の参照符号を付してここでの詳細な説明は省略する。
【００２０】
この発明でも、仕切壁３でショーケース本体１を中央から２つの商品収納庫４、４に区画し、この仕切壁３の上部に冷気の吸込口９を設け、仕切壁３の両側から上方に向けて吸込ガード１１を取り付ける。
【００２１】
この吸込ガード１１は、従来と同様にワイヤーなどの線材で作製されるものであるが、この発明では図２、図３に示すように本体１１ａの部分を横長の長方形状の枠体で構成し、この本体１１ａに縦方向に適宜間隔で線材による複数の脚１２を取り付けた。
【００２２】
さらに、この本体１１ａに対して、商品表示具１９の支持部材１３となる線材を取り付ける。この支持部材１３は、横長手方向の長さを本体１１ａと同一にしてこの１本の線材の両端を側面クランク形状に下方に向けて折り曲げたもので、本体１１ａと同一長さの正面コ字形の横桟の部分が商品表示具１９の支持部１３ａとなり、この支持部１３ａの下部前側に横桟１４を固定した。そして、クランク形状の折り曲げ部分が固定脚１３ｂとして前記本体１１ａの両側の縦枠に固定される。
【００２３】
この場合、支持部１３ａが本体１１ａの前方突出し、かつ、本体１１ａへの取付部よりも上方で、本体１１ａの上横桟の部分よりも下方に位置するように固定位置を決定し、固定脚１３ｂを本体１１ａの縦桟のほぼ中間の高さ位置に固定する。これにより、支持部材１３は本体１１ａに対して、この本体１１ａの枠内で高さ方向の中間よりも上方の位置に取り付けられる。
【００２４】
このように構成される支持部材１３を取り付けた吸込ガード１１を仕切壁３の両側に取り付ける。この場合、支持部１３ａが庫内側に向けて前方に突出するように位置決める。
【００２５】
よって、図４（ｂ）、図５および図８のようにして支持部１３ａに商品表示具１９の係止部１９ａを係止すれば、商品表示具１９は吸込ガード１１の本体１１ａから前方の庫内側に突出し、かつ、本体１１ａの枠内で上方位置に保持される。
【００２６】
これにより、商品表示具１９は吸込口９の上方位置に配設されることになり、商品表示具１９の下方には吸込口９との間に隙間が形成されるから、吹出口８から吹出された冷気はこの隙間を通って吸込口９に吸込まれる。よって、冷気が商品表示具１９に当たって上昇し、外気を巻き込むことがない。
【００２７】
また、商品表示具１９も図５に示すように従来に比較して表示面が上方に位置し、かつ、庫内側に突出するから、客にとっては表示が見やすくなる。
【００２８】
支持部材１３への商品表示具１９の取付方法としては、前記に限定されるものではなく、図１および図４（ｃ）に示すように、係止部１９ａを本体１１ａの上横桟に係止し、商品表示具１９の背面側の途中を支持部材１３の支持部１３ａの前面に当接させて背面側から斜め上方向に持ち上げようにして支持することもできる。
【００２９】
この場合は、商品表示具１９の表示面が斜め上方向に向くから、傾斜状態で、かつ、吸込ガード１１の最上端位置で吸込ガード１１に固定され、客にとっては表示面がさらに見やすくなる。
【００３０】
【発明の効果】
以上述べたようにこの発明の平形冷凍冷蔵ショーケースの商品表示具取付構造は、仕切壁で形成され上面に商品出入用の開口部を設けたショーケース本体内の中央に仕切壁を設けて２室の商品収納庫を形成し、前記ショーケース本体と商品収納庫との間、および前記仕切壁の内部に冷気循環ダクトを形成し、ショーケース本体の内側上部に冷気の吹出口を、仕切壁の上部に吸込口を形成し、仕切壁の上部両側に線材で形成された柵状の吸込ガードを設けた平形冷凍冷蔵ショーケースにおいて、前記吸込ガードの高さをプレート状の商品表示具の高さ方向の幅よりも高く形成し、吸込ガードの上部分に商品表示具を掛止しても吸込口と商品表示具との間に冷気の吸込みが阻害されない空隙が形成される。
【００３１】
これにより、ショーケース本体の中央の仕切壁に設けた吸込ガードに商品表示具を取り付けても、商品表示具は吸込口と離間した上方に配置され、吸込口と商品表示具との間には冷気の吸込みが阻害されない空隙が形成されるから、吸込ガードに商品表示具を取り付けても冷却能力が低下することがない。
【００３２】
また、商品表示具の取付位置が高くなるから、客にとって表示されている内容が見やすいものである。
【図面の簡単な説明】
【図１】この発明の平形冷凍冷蔵ショーケースの商品表示具取付構造の実施形態を示す平形冷凍冷蔵ショーケースの縦断側面図である。
【図２】この発明の平形冷凍冷蔵ショーケースの商品表示具取付構造の実施形態を示す斜視図である。
【図３】この発明の平形冷凍冷蔵ショーケースの商品表示具取付構造の実施形態を示す説明図である。
【図４】この発明の平形冷凍冷蔵ショーケースの商品表示具取付構造の実施形態を示す商品表示具を取り付けた状態の説明図である。
【図５】この発明の平形冷凍冷蔵ショーケースの商品表示具取付構造の実施形態を示す従来との比較の斜視図である。
【図６】従来の平形冷凍冷蔵ショーケースの商品表示具取付構造を示す平形冷凍冷蔵ショーケースの縦断側面図である。
【図７】従来の平形冷凍冷蔵ショーケースの商品表示具取付構造を示す平形冷凍冷蔵ショーケースの斜視図である。
【図８】従来の平形冷凍冷蔵ショーケースの商品表示具取付構造を示す商品表示具を取り付けた状態の平形冷凍冷蔵ショーケースの縦断側面図である。
【図９】従来の平形冷凍冷蔵ショーケースの商品表示具取付構造を示す商品表示具を取り付けた状態の平形冷凍冷蔵ショーケースの斜視図である。
【図１０】従来の商品表示具取付構造を示す斜視図である。
【符号の説明】
１  ショーケース本体            ２  開口部
３  仕切壁                      ４  商品収納庫
５  冷気循環ダクト              ６  冷却器
７  送風機                      ８  吹出口
９  吸込口                      １０  吸込ガード
１１  吸込ガード                １１ａ  本体
１２  脚                        １３  支持部材
１３ａ  支持部                  １３ｂ  固定脚
１４  横桟                      １９  商品表示具
１９ａ  係止部
【図１】
2004305368.tif 000003
【図２】
2004305368.tif 000004
【図３】
2004305368.tif 000005
【図４】
2004305368.tif 000006
【図５】
2004305368.tif 000007
【図６】
2004305368.tif 000008
【図７】
2004305368.tif 000009
【図８】
2004305368.tif 000010
【図９】
2004305368.tif 000011
【図１０】
2004305368.tif 000012